(57)【要約】      （修正有）【課題】リモコン機能を備えた電子機器において、赤外線受光センサーが正面を向いていなくても、リモコンからの赤外線信号を赤外線受信センサーへ効率よく導くことができる赤外線受光センサー付き電子機器の提供。【解決手段】赤外線受光センサー付き電子機器は、表示パネル２の正面の外周部に露出しているキャビネットを構成するフロントパネル４の一部分が額縁６とその額縁６の外周部の少なくとも一部分が透明部品４ａで構成されており、額縁６の背面に隠れて赤外線受光センサー１０を取り付け、その赤外線受光センサー１０に面した透明部品４ａに、赤外線受光センサー１０に向かって開口する窪み２１を形成し、その窪み２１によりリモコンから送信された赤外線信号を直接或いは反射、屈折させて前記開口を通じてその赤外線信号を赤外線受光センサー１０に入射させるように構成されている。【選択図】図２
2006253737.tif 000002
【特許請求の範囲】
【請求項１】
正面がその本体と一部分が透明部材である非体裁面部とが露出している赤外線受光センサー付き電子機器において、
前記非体裁面部に赤外線受光センサーが前記本体側の下側に向いて取り付けられており、
前記透明部分の内部に、前記赤外線受光センサーに向かって開口する窪みが形成されており、
この窪みにより赤外線リモートコントロールから送信された赤外線信号を直接或いは屈折させて前記開口を通じて前記赤外線信号を前記赤外線受光センサーに入射させるように構成されていることを特徴とする赤外線受光センサー付き電子機器。
【請求項２】
前記非体裁面部は前後、上下左右のどの方向から見ても見えない部分であることを特徴とする請求項１に記載の赤外線受光センサー付き電子機器。
【請求項３】
前記非体裁面部がキャビネットの不透明なフロントパネル及び又は額縁から構成されていることを特徴とする請求項１に記載の赤外線受光センサー付き電子機器。
【請求項４】
前記赤外線受光センサーが前記電子機器本体の外周部の下方にある前記非体裁面部に取り付けられており、前記窪みが該赤外線受光センサーの下方に存在する透明部品に形成さていることを特徴とする請求項１に記載の赤外線受光センサー付き電子機器。
【請求項５】
前記窪みの断面が放物線状或いは円錐形状の窪みであることを特徴とする請求項１或いは請求項４に記載の赤外線受光センサー付き電子機器。
【請求項６】
前記窪みの内周面が粗面に仕上げられていることを特徴とする請求項１、請求項４、或いは請求項５に記載の赤外線受光センサー付き電子機器。
【請求項７】
前記電子機器が薄型表示装置であり、その本体が薄型表示パネルであることを特徴とする請求項１乃至請求項６に記載の赤外線受光センサー付き電子機器。
【発明の詳細な説明】
【技術分野】
【０００１】
本発明は、赤外線リモートコントロールから送信された赤外線信号を受光できる赤外線受光センサー付き電子機器に関するものである。
【背景技術】
【０００２】
赤外線リモートコントローラ（以下、単に「リモコン」と略記する）から赤外線信号を送信することで遠隔操作される電子機器が多い。このような電子機器には赤外線信号を受ける赤外線受光センサーが必要となり、必ず電子機器本体の正面に正面を向いて取り付けられていなければならない。そして従来の電子機器においては、赤外線受光センサーは回路基板にマウントされているため、その正面のキャビネットに導光管と呼ばれる半透明の部品を取り付けて赤外線受光部が設けられている。
【０００３】
図５及び図６にこのような赤外線受光部を備えた従来技術の液晶表示装置（ＬＣＤ）やプラズマディスプレイ装置（ＰＤＰ）などの薄型表示装置の概略的な構成、構造を示した。図５はその正面図であり、図６は図５におけるＡ−Ａ線上における断面図である。
【０００４】
図５及び図６において、符号１Ｂは従来技術の薄型表示装置を指す。この薄型表示装置１Ｂは、前面の大部分に、その本体である表示パネル２が配置されるようにキャビネット３やフレーム（不図示）に取り付けられている。なお、キャビネット３はフロントパネル４とリアカバー５から構成されている。そのフロントパネル４の外周には、例えば、黒色などの有色のプラスチック製額縁６が装飾としてはめ込まれている。そしてその例えば、下方右側に赤外線受光部７が設けられている。
【０００５】
赤外線受光部７は、フロントパネル４と額縁６に開けられた丸孔の貫通孔にはめ込まれた導光部材８とこの裏面に向かって、回路基板９に固定された赤外線受光センサー１０が配設されている。
【０００６】
このように従来の薄型表示装置１Ｂにおいては、殆どの場合、赤外線受光センサー１０は、前記のように回路基板９にマウントされているため、必ず本体の正面に正面を向いて取り付けられていなければならなかった。
【０００７】
このように赤外線受光センサー１０が配設された電子機器は、下記の［特許文献１］の図２などに開示されている空気調和機にも見られ、導光管と呼ばれる半透明の部品を外装に取り付けて赤外線受光部が構成されている。
【０００８】
また、下記の［特許文献２］の図１には、フロントパネルの一部を薄肉化し、赤外線受光部とし、その裏面を凸形状とし、その背面に前記と同様に回路基板にマウントされた赤外線受光センサーを正面に向かって取り付けている空気調和機の赤外線受光部構造が開示されている。
【特許文献１】特開２００１−４１６５号（第１頁、図２）
【特許文献２】特開平１１−３０４１８８号（第１頁、図１）
【発明の開示】
【発明が解決しようとする課題】
【０００９】
前記のように、赤外線受光部をキャビネットなどの外装と同色或いはこれに近い色（有色）にし、特に［特許文献１］の空気調和機のような場合、赤外線導光管を目立たなくしているが、デザインを損ねる原因ともなっている。
【００１０】
額縁６に透明部材を使用する場合には、導光部材８も目立たなくするために無色透明な部材を用いる必要があり、そのような無職透明な部材を用いた場合、内部にある赤外線受光センサー１０が見えてしまい、デザインを損ねてしまう。
【００１１】
また、前記の両空気調和機に開示されているように、赤外線受光センサーはリモコン操作を行う場所を想定し、その方向を向いている必要がある。殆どの場合は、赤外線受光センサーは回路基板にマウントされて、必ず電子機器本体の正面に正面を向いて取り付けられていなければならないことから、前記の透明部材の額縁の幅を広くし、赤外線受光センサー及び回路基板を覆い隠す必要があり、そのため、電子機器の正面のデザインの自由度が制約されていた。
【００１２】
本発明は、これらの課題を解決しようとするものであって、リモコン機能を備えた電子機器において、赤外線受光センサーが正面を向いていなくても、リモコンからの赤外線信号を赤外線受信センサーへ効率よく導くことができ、そして赤外線受信センサーが目立たなくて、デザインに自由度が得られる赤外線受光センサー付き電子機器を得ることを目的とする。
【課題を解決するための手段】
【００１３】
それ故、本発明の赤外線受光センサー付き電子機器は、正面がその本体と一部分が透明部材である非体裁面部とが露出している赤外線受光センサー付き電子機器において、前記非体裁面部に赤外線受光センサーが前記本体側の下側に向いて取り付けられており、前記透明部分の内部に、前記赤外線受光センサーに向かって開口する窪みが形成されておりいて、その窪みにより赤外線リモートコントロールから送信された赤外線信号を直接或いは屈折させて前記開口を通じて前記赤外線信号を前記赤外線受光センサーに入射させるように構成されていることを特徴とする。
【００１４】
前記非体裁面部は前後、上下左右のどの方向から見ても見えない部分であり、更に具体的には、前記非体裁面部がキャビネットの不透明なフロントパネル及び又は額縁から構成されている。
【００１５】
また、前記赤外線受光センサーが前記電子機器本体の外周部の下方にある前記非体裁面部に取り付けられており、前記窪みが該赤外線受光センサーの下方に存在する透明部品に形成さていることを特徴とする。
【００１６】
更に、前記窪みの断面が放物線状或いは円錐形状の窪みであることが望ましい。
【００１７】
更にまた、前記窪みの内周面が粗面に仕上げられていることが望ましい。
【００１８】
そして更にまた、前記電子機器が薄型表示装置であり、その本体が薄型表示パネルである赤外線受光センサー付き電子機器の適用して好適である。
【００１９】
従って、本発明の赤外線受光センサー付き電子機器によれば、従来技術に見受けられた導光管を用いることなく、そして電子機器の正面方向に向けて赤外線受光センサーを配設しなくても、赤外線受光部の窪みの断面を放物線状或いは円錐形状に形成することで広範囲からのリモコンによる赤外線信号を赤外線受光センサーで受光でき、しかもデザインの向上を図ることができる。
【発明の効果】
【００２０】
本発明の赤外線受光センサー付き電子機器によれば、
１．従来技術の電子機器における導光管を必要としないため、部品点数を減らすことがで  きる
２．赤外線受光センサーを電子機器の正面方向に向ける必要がないため、透明材料を使用  しても、赤外線受光センサーが見えることはない
３．透明材料を使用したデザインを有効に使うことができる
など、数々の優れた効果が得られる。
【発明を実施するための最良の形態】
【００２１】
本発明の赤外線受光センサー付き電子機器は、特にＬＣＤやＰＤＰのような薄型表示装置本体の正面の外周部に露出しているキャビネットの一部分とベズルとそのキャビネットの外周下部の少なくとも一部分が透明部品材で構成されており、前記ベズルの背面の上下左右から見ても見えない非体裁面部に赤外線受光センサーを隠すように配設し、そして下向きに取り付け、その赤外線受光センサーに対向した前記透明部品材に、前記受光センサーに向かって開口する窪みを形成し、その窪みによりリモコンから送信された赤外線信号を直接或いは屈折させて前記開口を通じてその赤外線信号を前記受光センサーに入射させる構成を採っている。
【００２２】
そして前記赤外線受光センサーは前記電子機器本体の外周部の下方にある前記非体裁面部の背面に取り付け、前記窪みはその赤外線受光センサーの下方に存在する透明部品に形成することが好ましい。
【００２３】
また、前記窪みはその断面が放物線状或いは円錐形状の窪みであることが好ましい。そしてその窪みの内周面を粗面に仕上げることが好ましい。
【００２４】
本発明は特に前記電子機器が薄型表示装置であり、前記本体が薄型表示パネルである場合に適用すると効果的である。
【実施例１】
【００２５】
以下、図を用いて、本発明の赤外線受光センサー付き電子機器を説明する。
【００２６】
図１は本発明の一実施例の薄型表示装置の概略的な構成を示した正面図、図２は図１における赤外線受光部の一部拡大正面図、図３は図２におけるＡ−Ａ線で水平に切って上面から見た赤外線受光部の拡大断面上面図、そして図４は図２におけるＢ−Ｂ線上で切った赤外線受光部の拡大断面側面図である。
【００２７】
なお、本発明の薄型表示装置において、従来技術の薄型表示装置１Ｂと同一の部分には同一の符号を付して説明する。
【００２８】
図１において、符号１Ａは本発明の一実施例の薄型表示装置を指す。この薄型表示装置１Ａも、前面の大部分に、その本体である表示パネル２が配置されるようにキャビネット３やフレーム（不図示）に取り付けられている。なお、キャビネット３はフロントパネル４とリアカバー（不図示）から構成されていることは従来技術の薄型表示装置１Ｂのキャビネット３と変わりはない。そのフロントパネル４の外周には、例えば、黒色のプラスチック製額縁６が装飾としてはめ込まれている。
【００２９】
本発明においては、額縁６の下方のフロントパネル４の一部分をプラスチック製の透明部品４ａで構成し、その透明部品４ａの部分に窪み２１を形成し、そしてその直上の額縁６の部分の背面に存在する非体裁面部、例えば、前記フレーム（不図示）に赤外線受光センサー１０を配設して本発明における赤外線受光部２０を構成した（図２）。
【００３０】
赤外線受光センサー１０を搭載した回路基板９の面は水平状態で、即ち、額縁６の背面に対して垂直状態で、フロントパネル４、或いはフレーム（不図示）などに取り付けられている。従って、赤外線受光センサー１０の受光レンズ１０ａ及び受光面（不図示）は下方を向くことになる（図４）。
【００３１】
また、赤外線受光センサー１０の直下の透明部品４ａの端面４ｂには、図３及び図４に示したように、窪み２１が形成されている。その形状は断面が放物線状或いは円錐状になるように削って形成されている。この窪み２１の内面全体は反射面２１ａとなる。この反射面２１ａは赤外線信号Ｓがより一層乱反射し易いように粗面に仕上げておくことが好ましい。
【００３２】
以上のように本発明における赤外線受光部２０を構成すると、リモコン（不図示）から送信された赤外線信号Ｓは放物線状或いは円錐状の窪み２１の正面或いは側面から進入し、その進入した赤外線信号Ｓは、直接、或いは斜面の反射面２１ａで屈折し、反射を繰り返して、有色の額縁６の背面に隠れて配設され、下方を向いている受光レンズ１０ａを通じて赤外線受光センサー１０に集光され、効率よく赤外線信号Ｓを受光することができ、その受光した赤外線信号Ｓに応じて薄型表示装置１Ａの動作を制御することができる。このように本発明の実施例である薄型表示装置１Ａはリモコンによる操作が可能となる。
【００３３】
以上の説明から明らかなように、本発明における赤外線受光部２０によれば、リモコンからの赤外線信号Ｓを透明部品４ａに形成した窪み２１により赤外線受信センサー１０へ効率よく導くことができ、そして赤外線受信センサー１０を有色の額縁６の背面に配設したことから、その存在を目立た無くすることができる。また、回路基板９を水平状態でキャビネット３やフレーム（不図示）に取り付けたことにより、額縁６の幅を狭くすることもでき、更にまた、透明材料を外装に使用することができ、そして従来技術における導光部材も不要となるなど、デザインの設計の自由度を増すことができる。
【００３４】
なお、前記の実施例では、本発明における赤外線受光部２０を表示パネル２の下方部に配設した例を挙げたが、赤外線受光部２０は表示パネル２の上方部、或いは左右側面部に配設してもよく、下方部に配設した場合と同様の作用効果を得ることができることを付言しておく。
【産業上の利用可能性】
【００３５】
本発明は電子機器製造産業及び電子部品製造産業で利用可能である。
【図面の簡単な説明】
【００３６】
【図１】本発明の一実施例の薄型表示装置の概略的な構成を示した正面図である。
【図２】図１における赤外線受光部の一部拡大正面図である。
【図３】図２におけるＡ−Ａ線で水平に切って上面から見た赤外線受光部の拡大断面上面図である。
【図４】図２におけるＢ−Ｂ線上で切った赤外線受光部の拡大断面側面図である。
【図５】従来技術の一例の薄型表示装置の概略的な構成を示した正面図である。
【図６】図５におけるＡ−Ａ線上における断面図である。
【符号の説明】
【００３７】
１Ａ…本発明の一実施例の薄型表示装置、２…表示パネル、３…キャビネット、４…フロントパネル、４ａ…透明部品、５…リアカバー、６…額縁、９…回路基板、１０…赤外線受光センサー、１０ａ…受光レンズ、２０…赤外線受光部、２１…窪み
【図１】
2006253737.tif 000003
【図２】
2006253737.tif 000004
【図３】
2006253737.tif 000005
【図４】
2006253737.tif 000006
【図５】
2006253737.tif 000007
【図６】
2006253737.tif 000008